(57)【要約】【課題】容器本体の押圧変形部をスクイズ操作する際のスクイズ量を制御して、所望の量の内容物を安定して吐出させることのできるスクイズ容器を提供する。【解決手段】スクイズ変形可能な押圧変形部２７を備える外容器（容器本体）１３を有し、押圧変形部２７をスクイズ（押圧）することで、外容器１３の内部の内袋１１に収容された内容物を吐出させる２重スクイズ容器(スクイズ容器)１０であって、外容器１３は、押圧変形部２７と、押圧変形部２７と一体成形された縦方向補強部１３ｅとを含む筒状胴部１２を有している。縦方向補強部１３ｅは、筒状胴部１２の径方向に対向する２箇所に、縦方向に延設して一対設けられている。これらの一対の縦方向補強部１３ｅの間の部分に、一対の押圧変形部２７が、対向配置されて、好ましくは外容器１３の全体として略円形の中空断面形状を形成するように、円弧状の断面形状を備えて設けられている。【選択図】図１
2015143134.tif 000002
【特許請求の範囲】
【請求項１】
スクイズ変形可能な押圧変形部を備える容器本体を有し、前記押圧変形部をスクイズすることで、容器本体に収容された内容物を吐出させるスクイズ容器であって、
前記容器本体は、前記押圧変形部と、該押圧変形部と一体成形された縦方向補強部とを含む筒状胴部を有しており、
前記押圧変形部と、前記縦方向補強部とは異なる材質で構成されており、
前記縦方向補強部は、前記筒状胴部の径方向に対向する２箇所に、縦方向に延設して一対設けられており、該一対の縦方向補強部の間の部分に、一対の前記押圧変形部が、対向配置されて設けられているスクイズ容器。
【請求項２】
前記容器本体は、射出成形によって形成される請求項１記載のスクイズ容器。
【請求項３】
前記縦方向補強部は、上下方向にその幅を変化させて設けられている請求項１又は２記載のスクイズ容器。
【請求項４】
前記容器本体は、スクイズ変形可能な押圧変形部を備える外容器と、該外容器の内部に別部材として装着され、減容変形しつつ内容物を流出させる柔軟性を備える内袋とを含む２重容器の、前記外容器を形成している請求項１〜３のいずれか１項記載のスクイズ容器。
【請求項５】
前記内袋は、前記外容器の口首部の内周面に沿う大きさの外径を備える円形状口部と、該円形状口部に連続する柔軟性を備える変形胴部と、前記変形胴部を介して閉塞された底部とを有し、前記変形胴部は、円筒状部分と、前記底部に向けて徐々に扁平となる扁平筒状部分を備えており、該扁平筒状部分は、前記底部に向けて、前記変形胴部の断面積を縮小させた形状を有しており、前記円形状口部を前記口首部に係止して、吊り下げた状態で前記外容器の内部に装着される請求項４記載のスクイズ容器。
【請求項６】
前記内袋は、射出成形によって形成される請求項５記載のスクイズ容器。
【請求項７】
請求項１〜６のいずれか１項に記載のスクイズ容器の前記容器本体又は前記内袋に、内容物が収容されているスクイズ容器製品。
【発明の詳細な説明】
【技術分野】
【０００１】
本発明は、スクイズ容器に関し、特に容器本体の押圧変形部をスクイズすることで内容物を吐出させるスクイズ容器に関する。
【背景技術】
【０００２】
容器本体の押圧変形部をスクイズ（押圧）することで内容物を吐出させるスクイズ容器として、例えばスクイズ式の２重剥離容器が知られている（例えば、特許文献１参照）。スクイズ式の２重剥離容器は、容器本体を構成する外容器の内部に、内容物を収容した柔軟性を備える内袋を装着して、内袋を空気置換させることなく減容変形させながら内容物を流出させる。内容物の流出操作を終了した際には、外容器と内袋との間の部分に空気を送り込むことで、外容器を元の形状に復元させて、外容器を変形させないようになっている。
【０００３】
特許文献１のスクイズ式の２重剥離容器は、ブロー成形により、スクイズ変形可能で復元自在な可撓性を有する外層の内側に、萎み変形自在な内層（内袋）を剥離可能に積層することによって、容器本体が形成されている。また特許文献１のスクイズ式の２重剥離容器は、容器本体をスクイズ変形（押圧変形）させて、内層の内側に収容された内容液を注出した後に、スクイズ操作を終了して押圧状態を開放した際に、底シール部に形成された通気口を介して外気を、外層と内層とを剥離させつつこれらの層間に導入する。これによって、容器本体を、スクイズ変形させる前の元の形状に復元させる。
【先行技術文献】
【特許文献】
【０００４】
【特許文献１】特開２００４−２１０３４５号公報
【発明の概要】
【発明が解決しようとする課題】
【０００５】
従来のスクイズ容器では、容器本体は、押圧変形部をスクイズする際に押圧すべき部位を案内したり、規制するための形状や部材を備えていることで、例えばブロー成形によって形成された容器本体のパーティングラインに沿った方向に、スクイズ操作が行われるよう誘導できるようになっている。しかしながら、従来のスクイズ容器では、押圧変形部に対するスクイズ量を制御するための手段を備えていないため、押圧変形部を押圧する強さによって内容物の吐出量にばらつきを生じたり、必要以上の内容物を吐出させて、無駄を生じることになりやすい。
【０００６】
本発明は、容器本体の押圧変形部をスクイズ操作する際のスクイズ量を制御して、所望の量の内容物を安定して吐出させることのできるスクイズ容器を提供することを目的とする。
【課題を解決するための手段】
【０００７】
本発明は、スクイズ変形可能な押圧変形部を備える容器本体を有し、前記押圧変形部をスクイズすることで、容器本体に収容された内容物を吐出させるスクイズ容器であって、前記容器本体は、前記押圧変形部と、該押圧変形部と一体成形された縦方向補強部とを含む筒状胴部を有しており、  前記押圧変形部と、前記縦方向補強部とは異なる材質で構成されており、前記縦方向補強部は、前記筒状胴部の径方向に対向する２箇所に、縦方向に延設して一対設けられており、該一対の縦方向補強部の間の部分に、一対の前記押圧変形部が、対向配置されて設けられているスクイズ容器を提供することにより、上記目的を達成したものである。
【発明の効果】
【０００８】
本発明のスクイズ容器によれば、容器本体の押圧変形部をスクイズ操作する際のスクイズ量を制御して、所望の量の内容物を安定して吐出させることができる。
【図面の簡単な説明】
【０００９】
【図１】本発明の好ましい一実施形態に係るスクイズ容器（２重スクイズ容器）の斜視図である。
【図２】図１のＡ−Ａに沿った縦断面図である。
【図３】外容器の内部に装着される内袋の斜視図である。
【図４】本発明の好ましい一実施形態に係る２重スクイズ容器の構成を説明する、（ａ）は斜視図、（ｂ）は外容器を外した状態の斜視図である。
【図５】本発明の好ましい他の実施形態に係るスクイズ容器の斜視図である。
【図６】内袋の他の形態を例示する、（ａ）は斜視図、（ｂ）は（ａ）のＢ−Ｂに沿った断面図、（ｃ）は（ａ）のＣ−Ｃに沿った断面図である。
【発明を実施するための形態】
【００１０】
図１及び図２に示す本発明の好ましい一実施形態に係るスクイズ容器１０は、好ましくは、スクイズ変形（押圧変形）可能な筒状胴部１２を備える、有底円筒形状（略有底円筒形を含む）の容器本体１３である外容器と、この外容器１３の内部に装着される内袋１１と、外容器１３の口首部（開口部）１４を覆って装着される塗布具付きキャップ２０とを含んで構成される、塗布具の付いた２重スクイズ容器となっている。本実施形態の２重スクイズ容器（スクイズ容器）１０は、容器本体１３又は内袋１１（本実施形態では、内袋１１）に、内容物として例えば染毛剤やスタイリング剤等の頭髪処理剤が収容されたスクイズ容器製品となっており、頭髪処理剤を頭髪に塗布する際に用いられる。２重スクイズ容器１０は、筒状胴部１２を手で把持してスクイズ（押圧）することにより、内袋１１を減容変形させて、内袋１１に収容されている頭髪処理剤を、逆止弁２１を介して塗布具付きキャップ２０の液導出路２２に押し出すことで、吐出口２３に供給する。液導出路２２に押し出された頭髪処理剤は、吐出口２３から吐出された後、吐出口２３の周囲を囲むように環状に配置された、複数の櫛歯２４ａによる櫛部２４の内側に保持される。櫛部２４は、塗布部としての機能を兼ね備えており、櫛部２４の内側に保持された頭髪処理剤は、櫛部２４で頭髪を梳きながら頭髪に塗布されるようになっている。
【００１１】
また、２重スクイズ容器１０は、筒状胴部１２をスクイズする操作を終了して押圧状態が解放されると、塗布具付きキャップ２０の逆止弁２１が閉塞して、頭髪処理剤が内袋１１に逆流するのを防止すると共に、内袋１１の変形状態を維持する。一方、外容器１３は、元の形状に戻ろうとして内部が負圧になる。この負圧の作用によって、例えば外容器１３の底部１３ａに設けられた空気吸入弁１３ｂを介して（図２参照）、減容変形した内袋１１と外容器１３との間の空間に空気が流入することで、外容器１３が元の形状にスムーズに復元する。
【００１２】
以後、２重スクイズ容器１０の外容器１３の筒状胴部１２を押圧するスクイズ操作と、スクイズ状態（押圧状態）を開放する操作とを繰り返すことにより、内袋１１に収容された内容物である頭髪処理剤は、吐出口２３に順次押し出されて、櫛部２４によって頭髪を梳きながら頭髪に塗布される。本実施形態の２重スクイズ容器１０は、外容器１３の筒状胴部１２をスクイズ操作する際のスクイズ量を制御して、内容物の吐出量を安定させる機能を備える。
【００１３】
そして、本実施形態の２重スクイズ容器(スクイズ容器)１０は、図１及び図２に示すように、スクイズ変形可能な押圧変形部２７を備える外容器（容器本体）１３を有し、押圧変形部２７をスクイズ（押圧）することで、外容器１３の内部の内袋１１に収容された内容物を吐出させるスクイズ容器であって、外容器１３は、押圧変形部２７と、押圧変形部２７と一体成形された縦方向補強部１３ｅとを含む筒状胴部１２を有している。押圧変形部２７と、縦方向補強部１３ｅとは異なる材質で構成されている。縦方向補強部１３ｅは、筒状胴部１２の径方向に対向する２箇所に、縦方向に延設して、後述する肉厚が大きくなった非押圧部２６の一部として一対設けられている。これらの一対の縦方向補強部１３ｅの間の部分に、一対の押圧変形部２７が、対向配置されて設けられている。一対の押圧変形部２７は、好ましくは弧状の断面形状（本実施形態では、半円状の円弧状）を備えており、一対の縦方向補強部１３ｅと共に、外容器１３の全体として円形状又は楕円形状（本実施形態では、円形状）の中空断面形状を形成している。
【００１４】
すなわち、本実施形態では、容器本体１３は、スクイズ変形可能な押圧変形部２７を備える外容器と、外容器の内部に別部材として装着され、減容変形しつつ内容物を流出させる柔軟性を備える内袋１１とを含む２重スクイズ容器１０の、外容器１３を形成している。
【００１５】
なお、本願明細書において、「縦方向」は、筒状胴部の中心軸方向と平行又は略平行な方向である。
【００１６】
また、本実施形態では、内袋１１は、図３にも示すように、外容器１３の口首部の内周面に沿う大きさの外径を備える円形状口部１５と、この円形状口部１５に連続する柔軟性を備える変形胴部１７と、変形胴部１７を介して閉塞された底部１６とを有する。変形胴部１７は、円形状口部１５を含む円筒状部分１７ａと、底部１６を含む領域において底部１６に向けて徐々に扁平となる扁平筒状部分１７ｂを備えている。扁平筒状部分１７ｂは、底部１６に向けて、変形胴部１７の断面積を好ましくは連続して縮小させた形状を有している。内袋１１は、円形状口部１５を口首部１４に係止して、吊り下げた状態で外容器１３の内部に装着される。変形胴部１７の扁平筒状部分１７ｂは、断面の長軸と短軸の長さにおいて、底部１６に向けて少なくとも短軸の長さを好ましくは連続して縮小させた形状を有する。
【００１７】
さらに、本実施形態では、内袋１１は、外容器１３の口首部１４の内径と同様又は略同様の外径を備える円形状口部１５と、この円形状口部１５の外径と同じかこれよりも短い長さの好ましくは直線状の底部１６と、この直線状の底部１６と円形状口部１５との間の部分の柔軟性を備える変形胴部１７とを含んで形成される。変形胴部１７は、円形状口部１５の下方に連続する円筒状部分１７ａから、直線状の底部１６の上方に連続する、当該直線状の底部１６の延設方向を長軸方向とする扁平筒状部分（横長断面形状部分）１７ｂを介して、底部１６に向けて、断面形状を滑らかに好ましくは連続して変化させた形状を有している。すなわち、変形胴部１７は、円形状口部１５の下方に連続する円筒状部分１７ａから、直線状の底部１６に向かって好ましくは連続して断面形状が変化する扁平筒状部分１７ｂを備え、この扁平筒状部分１７ｂの長軸方向を直線状の底部１６の延設方向と一致させた形状を有している。内袋１１は、円形状口部１５を外容器１３の口首部１４に係止して、吊り下げた状態で外容器１３の内部に装着されるようになっている。
【００１８】
本実施形態では、２重スクイズ容器１０を構成する外容器１３は、図１及び図２に示すように、外側から押圧しても変形し難い部分である非押圧部２６と、スクイズ操作（押圧操作）によって弾性変形すると共に復元自在な押圧変形部２７とを、好ましくは金型を用いた射出成形によって一体成形した、２色成形品となっている。外容器１３は、全体として、例えば内径が３０〜５０ｍｍ程度、高さが例えば１００〜２００ｍｍ程度の大きさの、寸胴な有底の円筒形状（略円筒形を含む）に形成されている。外容器１３の中空内部は、上端開口から底部１３ａに至るまで、同様の内径の円形断面形状を有している。外容器１３の上端部分の外周面には、環状顎部１３ｆが、外側に突出して設けられている。この環状顎部１３ｆよりも上方部分が、外容器１３の口首部１４となっている。この口首部１４の外周部分に形成された雄ねじ突条に、装着スカート部２５の内周部分に形成された雄ねじ突条が螺着されることで、塗布具付きキャップ２０が、外容器１３に着脱可能に一体として固定される。
【００１９】
外容器１３の非押圧部２６は、口首部１４及び環状顎部１３ｆが設けられた上端部分１３ｃと、空気吸入弁１３ｂを有する底部１３ａが設けられた下端部分１３ｄと、上端部分１３ｃと下端部分１３ｄとを縦方向に連結すると共に、円筒形状の胴部１２の直径方向に対向する２箇所に設けられた、一対の縦リブ状の縦方向補強部１３ｅとを具備する。非押圧部２６は、外容器１３の形状を保持する骨組み部分となっている。
【００２０】
外容器１３の押圧変形部２７は、円筒形状の筒状胴部１２における、上端部分１３ｃと下端部分１３ｄと縦方向補強部１３ｅとによる非押圧部２６よって囲まれる領域において、縦方向補強部１３ｅを挟んだ両側に対向配置されて、一対設けられている。一対の押圧変形部２７は、外容器１３の全体として円形状（略円形を含む）の断面形状を形成するように、各々半円状（略半円を含む）の断面形状を有する部分となっている。押圧変形部２７は、容器本体である外容器１３の筒状胴部１２の長さに対して、相当の長さを有しており、これによって、押圧変形部２７を効率的に押し潰して押圧変形させることができるようになっている。
【００２１】
非押圧部２６を押しても筒状胴部１２を変形させることができないため、また、使用者は、半円形状に盛り上がっている一対の押圧変形部２７の頂部を指等で挟み込むようにして押圧することが、最もスクイズ操作を行い易いと感じることから、非押圧部２６及び押圧変形部２７は、スクイズ方向案内手段として機能する。これによって、図４（ａ）に示すように、使用者が、左右一対の押圧変形部２７の頂部に各々指を当てて、これらが近づく方向をスクイズ方向Ｘとして、押圧変形部２７をスクイズするように、案内することが可能になる。
【００２２】
本実施形態では、非押圧部２６となる上端部分１３ｃ、下端部分１３ｄ、及び一対の縦方向補強部１３ｅは、硬質の樹脂として例えばポリプロピレン、高密度ポリエチレン、ポリアセタール等を用いて形成されており、半円状の断面形状を有する一対の押圧変形部２７は、柔軟性を備える軟質の樹脂として、弾性を有する例えばエラストマー、シリコンゴム等を用いて形成されている。非押圧部２６を厚肉に形成すると共に、押圧変形部２７を薄肉に形成することで、押圧変形部２７のみが弾性変形するように形成することでもできる。
【００２３】
ここで、ポリプロピレン、高密度ポリエチレン等の硬質の樹脂による非押圧部２６は、保形性を確保する観点から、曲げ弾性率が、好ましくは５００〜２０００ＭＰａ、より好ましくは８００〜２０００ＭＰａとなっている。かかる曲げ弾性率は、ＪＩＳ  Ｋ７１７１（１９９４）によって測定された値である。
【００２４】
また、エラストマー、シリコンゴム等の軟質の樹脂による押圧変形部２７は、柔軟性を確保する観点から、ＪＩＳ  Ｋ６２５３で規定するデュロメータ硬さが、好ましくは０〜２０、より好ましくは０〜１０となっている。エラストマー、シリコンゴム等の軟質の樹脂による押圧変形部２７は、同様に柔軟性を確保する観点から、曲げ弾性率が、好ましくは１〜２００ＭＰａ、より好ましくは１〜１００ＭＰａとなっている。かかる曲げ弾性率は、ＪＩＳ  Ｋ７２０３（１９９５）によって測定された値である。
【００２５】
本実施形態では、２重スクイズ容器１０を構成する内袋１１（図２、図３参照）は、例えばポリエチレン、ポリプロピレン等の合成樹脂から、成形可能な範囲のやわらかい樹脂グレードのものを選択して、好ましくは金型を用いた射出成形によって形成することができる。
【００２６】
内袋１１は、射出成形によって形成する際に、保形性を備える硬い樹脂として、例えばポリプロピレン、高密度ポリエチレン、ポリアセタール等による円形状口部１５と、柔軟性を備える軟らかい樹脂として、例えばエラストマー、シリコンゴム等による変形胴部１７及び底部１６とを、２色成形により一体成形して形成することもできる。２色成形によって内袋１１を形成する場合には、軟らかい樹脂として、エラストマーを選択することもできる。ここで２色成形とは、異なった材質同士を組み合わせて一体に成形することを言う。
【００２７】
エラストマー、シリコンゴム等による変形胴部１７及び底部１６は、柔軟性を確保する観点から、ＪＩＳ  Ｋ６２５３で規定するデュロメータ硬さが、好ましくは０〜２０、より好ましくは０〜１０となっている。かかる範囲のデュロメータ硬さは、タイプＡ（瞬間値）での硬さである。なお、デュロメータ硬さは、ＪＩＳ  Ｋ６２５３の規定に従い測定する。エラストマー、シリコンゴム等による変形胴部１７及び底部１６は、同様に柔軟性を確保する観点から、曲げ弾性率が、好ましくは１〜２００ＭＰａ、より好ましくは１〜１００ＭＰａとなっている。かかる曲げ弾性率は、ＪＩＳ  Ｋ７２０３（１９９５）によって測定された値である。
【００２８】
また、ポリプロピレン、高密度ポリエチレン、ポリアセタール等による円形状口部１５は、好ましくは保形性を確保する観点から、曲げ弾性率が、好ましくは５００〜２０００ＭＰａ、より好ましくは８００〜２０００ＭＰａとなっている。かかる曲げ弾性率は、ＪＩＳ  Ｋ７１７１（１９９４）によって測定された値である。
【００２９】
本実施形態では、内袋１１の円形状口部１５は、外容器１３の口首部１４の内径と同様又は略同様の外径として、例えば２８〜４８ｍｍ程度の外径を備えるように形成される。円形状口部１５が、外容器１３の口首部１４の内径と同様又は略同様の外径を備えることにより、内袋１１を、横ずれさせることなく口首部１４から安定した状態で吊り下げて、外容器１３の内部に装着することが可能になる。また、円形状口部１５は、保形性を備えるように形成されていることが好ましい。円形状口部１５が保形性を備えていることにより、口首部１４にさらに安定した状態で係止させて、外容器１３の内部に内袋１１を吊り下げることが可能になる。円形状口部１５は、例えば０．５〜２ｍｍ程度の肉厚を有するように形成されることが好ましい。
【００３０】
本実施形態では、内袋１１の底部１６は、円形状口部１５の外径と同じかこれよりも短い長さとして、例えば２８〜４８ｍｍ程度の長さを備えるように形成される。底部１６が、円形状口部１５の外径と同じかこれよりも短い長さを備えていることにより、内袋１１を好ましくは射出成形によって形成する際に、金型をスムーズに抜くことが可能になる。また、外容器１３が、口首部１４から底部１３ａまで同様の内径の有底円筒形状に形成されている場合でも(図２参照)、底部１６が外容器１３の底部１３の近傍に配置されるまで、内袋１１を上方から外容器１３にスムーズに装着することが可能になる。
【００３１】
また、底部１６は、当該底部１６の上方に連続する扁平筒状部分１７ｂにおける、短手方向に対向する一対の側面の下端部が、当該底部１６において、好ましくは２０〜９０度程度、更に好ましくは４５〜９０度程度、より好ましくは６０〜９０度程度の交差角度θ（図３参照）で交差するように接続されていることが好ましい。即ち、扁平筒状部分１７ｂにおける、短手方向に対向する一対の側面の下端部の縦方向の断面形状が、断面視してＶ字形状（略Ｖ字形を含む）となっていることが好ましい。当該底部１６において、扁平筒状部分１７ｂの短手方向に対向する一対の側面の下端部が、２０〜９０度程度の交差角度θで交差していることにより、スクイズ容器１１の胴部１２へのスクイズ操作によって、内袋１１の内部から内容物が流出してゆくのに伴って、内袋１１は、扁平筒状部分１７ｂの長軸方向の両端部に稜線（折れ線）を形成させながら、扁平筒状部分１７ｂの底部１６に近接する下端部から、上方に向けて、順次平坦にスムーズに押しつぶされてゆくことが可能になる。
【００３２】
また、扁平筒状部分１７ｂの短手方向から視た際の底部１６における曲率半径は、小さい方が好ましいが、ある程度の曲率半径を有していても良い。例えば１００ｍｍ〜２００ｍｍの曲率半径を有していることが好ましい。かかる範囲であれば、扁平筒状部分１７ｂの底部１６に近接する下端部から、上方に向けて、内袋１１を順次平坦にスムーズに押しつぶしてゆくことができる。
【００３３】
また、底部１６の肉厚は、扁平筒状部分１７ｂと比較して厚くならない方が、よりスムーズに、扁平筒状部分１７ｂの底部１６に近接する下端部から、上方に向けて、内袋１１を順次平坦に押しつぶしてゆくことができる。
【００３４】
本実施形態では、内袋１１の変形胴部１７は、円形状口部１５の下方に連続する円筒状部分１７ａから、底部１６の上方に連続する扁平筒状部分１７ｂを介して、底部１６に向けて、断面形状を滑らかに好ましくは連続して変化させた形状を有している。すなわち、変形胴部１７は、例えば円筒状部分１７ａの円形の中空断面形状から、下方に向けて、短軸方向の長さを徐々に小さくした楕円形状（略楕円形を含む）の中空断面形状に移り、さらに短軸方向の長さを徐々に小さくさせて、長円形状（略長円形を含む）の中空断面形状に移った後に、長円形状の中空断面形状の両端部の曲率半径を小さくしながら両側の側面を重ね合わせて、直線状の底部１６において下端開口を閉塞させた形状を有している。これによって、変形胴部１７は、外周面が、外側に向けて緩やかに湾曲しながら膨らんだ形状を有している。変形胴部１７がこのような形状を有していることにより、２重スクイズ容器１０の胴部１２へのスクイズ操作によって、内袋１１の内部から内容物が流出してゆくのに伴って、内袋１１は、扁平筒状部分１７ｂの長軸方向の両端部に稜線（折れ線）１７ｃを形成させながら、扁平筒状部分１７ｂの底部１６に近接する下端部から、上方に向けて、順次平坦にスムーズに押しつぶされてゆくことが可能になる。
【００３５】
また、変形胴部１７は、底部１６と円形状口部１５との間の部分において、容易に平坦に押しつぶすことが可能な柔軟性を備えるように、薄肉に形成することが好ましい。特に、変形胴部１７は、例えば３００〜２０００μｍ程度の肉厚で形成することが好ましい。横長断面形状部分１７ｂの長軸方向の両端部は、これらの両端部に稜線（折れ線）１７ｃが形成されやすくするために、当該長軸方向の両端部を薄肉に形成することが好ましい。内袋１１の底部１６は、これの延設方向と垂直な方向から見た際に、下方に凸となって湾曲する形状に形成することが好ましく、底部１６の両端の角部は、湾曲形状に面取りした状態で、扁平筒状部分１７ｂの長軸方の両端部の稜線（折れ線）１７ｃに接続させることが好ましい。
【００３６】
本実施形態では、内袋１１には、円形状口部１５の上端縁部から例えば０．５〜２ｍｍ程度の幅で円環状に外側に張り出して、環状係止フランジ１８が、円形状口部１５と一体成形されて設けられている。図２に示すように、塗布具付きキャップ２０の装着スカート部２５を、外容器１３の口首部１４の外周部分に螺着して着脱可能に固定する際に、環状係止フランジ１８を、外容器１３の口首部１４の上端面に配置して係止すると共に、配置した環状係止フランジ１８を、装着スカート部２５の周縁天面部２５ａとの間に挟み込むことで固定する。これによって、内容物である頭髪処理剤を充填収容した内袋１１を、より安定した状態で外容器１３の内部に取り付けることが可能になる。また、環状係止フランジ１８を、外容器１３の口首部１４の上端面と、塗布具付きキャップ２０の装着スカート部２５の周縁天面部２５ａとの間に挟み込んで固定することによって、内袋１１の内部を強固に密閉することが可能になるので、内袋１１の内部に収容された頭髪処理剤を、外容器１３の胴部１２へのスクイズ操作によって、さらにスムーズに吐出させることが可能になる。
【００３７】
また、本実施形形態では、塗布具付きキャップ２０の装着スカート部２５の周縁天面部２５ａの径方向内側部分から、下方に向けて円環状に突出して、インナーリング２５ｂが設けられている。インナーリング２５ｂは、装着スカート部２５が螺着される外容器１３の口首部１４の内径と、同様の外径を有している。装着スカート部２５を、外容器１３の口首部１４に螺着して塗布具付きキャップ２０を固定する際に、インナーリング２５ｂは、口首部１４の上端面に環状係止フランジ１８を載置、配置して外容器１３の内部に吊り下げられている内袋１１の、円形状口部１５の内周面に密着すると共に、円形状口部１５を口首部１４の内周面に押し付けることが可能になる。これによって、内袋１１の内部を、さらに強固に密閉することが可能になる。
【００３８】
なお、内袋１１の上端縁部から外側に張り出して、環状係止フランジを設ける必要は必ずしもなく、環状係止フランジが無い場合には、例えば円形状口部１５を外容器１３の口首部１４の内側面に接着することで係止して、内袋１１を、吊り下げた状態で外容器１３の内部に装着することもできる。また、図２においては、内袋１１の変形胴部１７の特に上半部分で、変形胴部１７の外周面と外容器１３の胴部１２の内周面との間には隙間が無いように描かれているが、好ましくはこれらの間に例えば１〜２ｍｍ程度の隙間を保持しておくことにより、内袋１１がよりスムーズに押しつぶされるようにすることが可能になる。
【００３９】
本実施形態の２重スクイズ容器１０では、図４（ａ）、（ｂ）に示すように、外容器１３のスクイズ方向Ｘと、内袋１１の扁平筒状部分１７ｂの短軸方向Ｓとが合致するように位置決めされて、内袋１１が外容器１３の内部に装着されている。すなわち、内袋１１は、底部１６の延設方向が、外容器１３の、非押圧部２６である一対の縦方向補強部１３ｅが対向する直径方向に沿うように位置決めされて、外容器１３の内部に装着されている。内袋１１の底部１６の延設方向が、外容器１３の一対の縦方向補強部１３ｅが対向する直径方向に沿うように内袋１１を位置決めする手段としては、外容器１３の口首部１４や、内袋１１の円形状口部１５や、塗布具付きキャップ２０の装着スカート部２５の周縁天面部２５ａに設けられた、オスメスのロック機構や、ネジストッパー機構等の公知の各種の係止手段を用いることができる。
【００４０】
本実施形態の２重スクイズ容器１０は、上述のように、筒状胴部１２を手で把持してスクイズすることにより、内袋１１を減容変形させて、内袋１１に収容されている内容物である頭髪処理剤を、塗布具付きキャップ２０の液導出路２２に押し出すことで、吐出口２３から吐出させる。また、吐出された頭髪処理剤を、複数の櫛歯２４ａによる櫛部２４の内側に保持した状態で、櫛部２４で頭髪を梳きながら頭髪に塗布するようになっている。そして、本実施形態の２重スクイズ容器１０によれば、外容器１３の押圧変形部２７をスクイズ操作する際のスクイズ量を制御して、所望の量の頭髪処理剤を安定して吐出させることが可能になる。
【００４１】
すなわち、本実施形態によれば、外容器１３は、押圧変形部２７と、押圧変形部２７と一体成形された縦方向補強部１３ｅとを含む筒状胴部１２を有しており、縦方向補強部１３ｅは、筒状胴部１２の径方向に対向する２箇所に、縦方向に延設して一対設けられており、これらの一対の縦方向補強部１３ｅの間の部分に、一対の押圧変形部２７が、好ましくは対向配置されて外容器１３の全体として円形状の中空断面形状を形成するように、半円状の円弧状の断面形状を備えて設けられている。これによって、使用者が、筒状胴部１２を把持すると共に、半円形状に盛り上がっている一対の押圧変形部２７の頂部を挟み込むようにして、押圧変形部２７をスクイズ方向Ｘにスクイズ操作した際に、一対の押圧変形部２７の間に挟まれて両側に配置された縦方向補強部１３ｅが変形しないことで、そのスクイズ量が規制されることになる。また、使用者が、過度に押圧力を加えてスクイズ操作をした場合でも、縦方向補強部１３ｅが変形しないことで、押圧変形部２７へのスクイズ量が制限されることになる。
【００４２】
これらによって、本実施形態の２重スクイズ容器１０によれば、外容器１３の押圧変形部２７をスクイズ操作する際のスクイズ量を制御することが可能になると共に、使用者は、縦方向補強部１３ｅによって押圧変形部２７へのスクイズ量が制限されるまで、スクイズ操作を行うことで、一定のスクイズ量が保持されることになって、所望の量の頭髪処理剤を安定して吐出させることが可能になる。
【００４３】
また、本実施形態の２重スクイズ容器１０によれば、外容器１３のスクイズ方向Ｘと、内袋１１の扁平筒状部分１７ｂの短軸方向Ｓとが合致するように位置決めされて、内袋１１が外容器１３の内部に装着されている。これによって、２重スクイズ容器１０をスクイズ操作する際に、外容器１３の押圧変形部２７をスクイズ方向Ｘにスクイズした際の押圧力が、内袋１１が平坦につぶされる方向に効率良く伝わることになるので、内容物が収容された内袋１１を、底部１６に近接する下端部から上方に向けて、順次平坦にスムーズに押しつぶしてゆくことが可能になる。
【００４４】
さらに、本実施形態の２重スクイズ容器１０によれば、内袋１１から流出して吐出口２３から吐出された頭髪処理剤を保持して、頭髪を梳きながら頭髪処理剤を頭髪に塗布させる櫛部２４は、外容器１３の一対の縦方向補強部１３ｅが対向する直径方向に沿った方向を向いて設けられている。これによって、外容器１３の筒状胴部１２を手で把持して、押圧変形部２７をスクイズ方向Ｘにスクイズしながら櫛部２４によって頭髪を梳く操作を、例えば頭部の後方の頭髪に対しても、容易に且つスムーズに行うことが可能になる。
【００４５】
図５は、本発明の好ましい他の実施形態に係るスクイズ容器５０を示している。本他の実施形態のスクイズ容器５０は、図１に示す上記実施形態のスクイズ容器１０と同様の構成を備える、２重スクイズ容器となっている。一方、本他の実施形態のスクイズ容器５０では、外容器１３の非押圧部２６を構成する上端部分１３ｃと下端部分１３ｄとを縦方向に連結する、一対の縦方向補強部５１が、上記実施形態の縦リブ状の縦方向補強部１３ｅとは異なり、好ましくは上端部から下端部に向けて幅が狭くなるように、上下方向にその幅を変化させて設けられた、倒立した二等辺三角形状（略二等辺三角形を含む）の板状の補強部となっている。
【００４６】
本他の実施形態の２重スクイズ容器（スクイズ容器）５０によっても、上記実施形態のスクイズ容器１０と同様の作用効果を奏する。また、本他の実施形態の２重スクイズ容器５０によれば、縦方向補強部５１が上下方向にその幅を変化させて設けられていることにより、押圧変形部２７をスクイズ操作した際の縦方向補強部５１によって規制されるスクイズ量を、上下方向に変化させることが可能になるので、押圧変形部２７を押圧する上下方向の位置によって、内容物である頭髪処理剤の吐出量を調整することが可能になる。
【００４７】
図６（ａ）〜（ｃ）は、上記実施形態の２重スクイズ容器１０や上記他の実施形態の２重スクイズ容器５０を構成する内袋１１’の、他の形態を例示するものである。図６（ａ）〜（ｃ）の内袋１１’では、保形性を備える硬い樹脂による円形状口部１５’と、柔軟性を備える軟らかい樹脂による変形胴部１７’及び底部１６’とが、別体として成形されており、円形状口部１５’の外周面を覆って変形胴部１７’の上端部１７ｄ’が装着されることで、変形胴部１７’及び底部１６’に円形状口部１７’が一体として取り付けられて、当該内袋１１’が形成されている。
【００４８】
図６（ａ）〜（ｃ）の内袋１１’では、円形状口部１５’は、好ましくは金型を用いた射出成形品であって、図３に示す内袋１１の円形状口部１５に用いた樹脂と同様の物性を備える、保形性を有する硬い樹脂として、例えばポリエチレン、ポリプロピレン、ポリアセタール等を用いて形成される。円形状口部１５’は、外容器１３の口首部１４の内径と同様又は略同様の、例えば２８〜４８ｍｍ程度の外径を有すると共に、５〜１０ｍｍ程度の高さを有する、扁平な円筒形状の口部本体部１５ａ’と、口部本体部１５ａ’の上端縁部から外側に張り出して設けられた、環状係止フランジ１８’とを含んで形成される。円形状口部１５’は、例えば０．５〜２ｍｍ程度の肉厚となるように形成されることが好ましい。
【００４９】
また、円形状口部１５’には、口部本体部１５ａ’の外周面から外側に突出して、口部本体部１５ａ’の直径方向に対向する位置に、一対の係止凸リブ１５ｂ’が設けられている。これらの係止凸リブ１５ｂ’を、外容器１３の口首部１４の上端面に設けた位置決め用の係止凹部（図示せず）に係止して、環状係止フランジ１８’を口首部１４の上端面に配置することが可能になる。これによって、例えば内袋１１’の底部１６’が延設する方向を、外容器１３の一対の縦方向補強部１３が対向して配置される直径方向に沿わせて位置決めした状態で、２重容器用内袋１１’を、外容器１３の内部に吊り下げることが可能になる。
【００５０】
変形胴部１７’及び底部１６’は、好ましくは金型を用いた射出成形品であって、図３に示す内袋１１の変形胴部１７及び底部１６に用いた樹脂と同様の物性を備える、柔軟性を備える軟らかい樹脂として、例えばエラストマー（スチレン系、ポリエステル系、オレフィン系、ウレタン系など）、シリコンゴム等を用いて形成される。変形胴部１７’は、図３に示す内袋１１の変形胴部１７と同様に、円筒状部分１７ａ’と、閉塞された底部１６’に向けて徐々に扁平となる扁平筒状部分１７ｂ’を備えている。扁平筒状部分１７ｂ’は、底部１６’に向けて、変形胴部１７’の断面積を好ましくは連続して縮小させた形状を有している。変形胴部１７’の扁平筒状部分１７ｂ’は、断面の長軸と短軸の長さにおいて、底部１６’に向けて少なくとも短軸の長さを好ましくは連続して縮小させた形状を有している。また、変形胴部１７’は、底部１６’と円形状口部１５’との間の部分において、容易に平坦に押しつぶすことが可能な柔軟性を備えるように、薄肉に形成することが好ましい。特に、変形胴部１７’は、例えば３００〜２０００μｍ程度の肉厚で形成することが好ましい。
【００５１】
図６（ａ）〜（ｃ）の内袋１１’では、円形状口部１５’における、係止凸リブ１５ｂ’を除いた部分の口部本体部１５ａ’の外周面の全体を覆って、変形胴部１７’の上端部１７ｄ’が、例えば融着や接着剤を用いた接着によって、密着した状態で強固に装着されている。これによって、変形胴部１７’及び底部１６’に、円形状口部１７’が一体として取り付けられて、内袋１１’が形成される。
【００５２】
図６（ａ）〜（ｃ）の内袋１１’によれば、硬い樹脂による円形状口部１５’の 口部本体部１５ａ’の外周面が、軟らかい樹脂による変形胴部１７’の上端部１７ｄ’によって覆われているので、装着スカート部２５を、外容器１３の口首部１４に螺着して塗布具付きキャップ２０を外容器１３に固定する際に、円形状口部１５’の 口部本体部１５ａ’の外周面と、口首部１４の内周面との間には、軟らかい樹脂による変形胴部１７’の上端部１７ｄ’が介在して挟み込まれた状態となる。これによって、インナーリング２５ｂ（図２参照）によって円形状口部１５’ の口部本体部１５ａ’を、口首部１４の内周面に押し付ける際に、柔軟な変形胴部１７’の上端部１７ｄ’を介して口部本体部１５ａ’を口首部１４の内周面に密着させることで、内袋１１’の内部を、さらに強固且つ確実に密閉することが可能になる。
【００５３】
なお、本発明は上記実施形態に限定されることなく種々の変更が可能である。例えば、本発明のスクイズ容器は、外容器を容器本体として、これの内部に内袋を装着した２重スクイズ容器である必要は必ずしも無く、外容器の内側に内袋を剥離可能に積層した、スクイズ式の２重剥離容器であっても良い。内袋を介することなく、容器本体に内容物を収容して、容器本体から吐出部に内容物を送り出す１重のスクイズ容器であっても良い。容器本体は、射出成形によって形成されるものの他、ブロー成形等によって形成されるものであっても良い。容器本体は、筒状胴部の中空断面よりも、口首部の中空断面の方が小さくなっていても良い。筒状胴部は、楕円形状（略楕円形を含む）の中空断面形状を備えるものであっても良い。収容される内容物は、頭髪処理剤の他、スクイズ操作によって吐出させることが可能な、化粧品、洗剤、薬品、食品等の、その他の種々の液体状の内容物であっても良い。
【００５４】
また、内袋の底部は直線状の底部である必要は必ずしも無く、円弧状（好ましくは円弧線状）の底部であっても良い。
【符号の説明】
【００５５】
１０，５０  ２重スクイズ容器（スクイズ容器）
１１，１１’  内袋
１２  胴部
１３  外容器（容器本体）
１３ａ  底部
１３ｂ  空気吸入弁
１３ｃ  上端部分
１３ｄ  下端部分
１３ｅ，５１  縦方向補強部
１３ｆ  環状顎部
１４  口首部（開口部）
１５，１５’  円形状口部
１５ａ’口部本体部
１５ｂ’係止凸リブ
１６，１６’  底部
１７，１７’  変形胴部
１７ａ，１７ａ’  円筒状部分
１７ｂ，１７ｂ’  扁平筒状部分
１７ｃ  稜線（折れ線）
１７ｄ’ 上端部
１８，１８’  環状係止フランジ
２０  塗布具付きキャップ
２１  逆止弁
２２  液導出路
２３  吐出口
２４  櫛部
２４ａ  櫛歯
２５  装着スカート部
２５ａ  周縁天面部
２５ｂ  インナーリング
２６  非押圧部
２７  押圧変形部
【図１】
2015143134.tif 000003
【図２】
2015143134.tif 000004
【図３】
2015143134.tif 000005
【図４】
2015143134.tif 000006
【図５】
2015143134.tif 000007
【図６】
2015143134.tif 000008